【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
ゴルフクラブヘッドにおいて、
打撃フェース周囲形状によって定義される周囲を具備し、当該ゴルフクラブヘッドの前方部分に位置付けられる打撃フェース部分と、
上記ゴルフクラブヘッドの後方部分において上記打撃フェース部分の後方に位置付けられる後方本体部分とを有し、
上記ゴルフクラブヘッドは、６．０ｋｓｉ／ＨＲＣより大きな対硬度強度比を有し、
上記対硬度強度比は、
（打撃フェース部分１０２のＵＴＳ−本体部分１０４のＵＴＳ）／（打撃フェース部分１０２の硬さ−本体部分１０４の硬さ）＝対硬度強度比
であることを特徴とするゴルフクラブヘッド。
【請求項２】
上記ゴルフクラブヘッドは、１１ｋｓｉ／ＨＲＣより大きな対硬度強度比を有する請求項１記載のゴルフクラブヘッド。
【請求項３】
上記ゴルフクラブヘッドは、１６ｋｓｉ／ＨＲＣより大きな対硬度強度比を有する請求項１記載のゴルフクラブヘッド。
【請求項４】
上記ゴルフクラブヘッドは１．２５より大きなＭＯＲ比を有し、
上記ＭＯＲ比は、
（打撃フェース部分１０２のＭＯＲ）／（本体部分１０４のＭＯＲ）＝  ＭＯＲ比
である請求項１記載のゴルフクラブヘッド。
【請求項５】
上記ゴルフクラブヘッドは１．３５より大きなＭＯＲ比を有する請求項４記載のゴルフクラブヘッド。
【請求項６】
上記ゴルフクラブヘッドは１．４５より大きなＭＯＲ比を有する請求項５記載のゴルフクラブヘッド。
【請求項７】
上記打撃フェース部分は、さらに、
第１の周囲形状を形成する過剰な性能の第１の領域と、
上記打撃フェース部分の内部表面に位置付けられ、厚さが増加した第１の層であって、その周囲が上記第１の周囲形状によって定義される上記厚さが増加した第１の層と、
第２の周囲形状を形成する過剰な性能の第２の領域と、
上記厚さが増加した第１の層の内部表面に位置付けられ、厚さが増加した第２の層であって、その周囲が上記第２の周囲形状によって定義される上記厚さが増加した第２の層とを有し、
上記打撃フェース周囲形状は上記第１の周囲形状と相違し、
上記第２の周囲形状は上記第１の周囲形状と相違し、
上記第２の周囲形状は上記打撃フェース周囲形状と相違し、
上記打撃フェース部分、上記厚さが増加した第１の層、および上記厚さが増加した第２の層の間の遷移領域が平滑な混合部分を有する請求項１記載のゴルフクラブヘッド。
【請求項８】
上記打撃フェース部分はさらに薄くされた周辺領域を有し、上記薄くされた周辺領域は、上記厚さが増加した第１の層の周囲を包囲し、
上記薄くされた周辺領域は２．４ｍｍおよび３．０ｍｍの厚さを有する請求項７記載のゴルフクラブヘッド。
【請求項９】
上記厚さが増加した第２の層は３．２ｍｍおよび３．８ｍｍの総合厚さを有する請求項８記載のゴルフクラブヘッド。
【請求項１０】
上記打撃フェース部分は、−３．５より大きいゼロに近いＣＴ分散平均を有し、上記ＣＴ分散平均は
ＣＴ分散平均＝中心の６ｍｍ平方内のＣＴ値の平均
である請求項９記載のゴルフクラブヘッド。
【請求項１１】
上記打撃フェース部分は、−３．２より大きいゼロに近いＣＴ分散平均を有する請求項１０記載のゴルフクラブヘッド。
【請求項１２】
上記打撃フェース部分は、−３．０より大きいゼロに近いＣＴ分散平均を有する請求項１１記載のゴルフクラブヘッド。
【手続補正２】
【補正対象書類名】明細書
【補正対象項目名】００６７
【補正方法】変更
【補正の内容】
【００６７】
もちろん、先の説明は、この発明の例示的な実施例に関するものであり、以下の特許請求の範囲に記載されるこの発明の精神および範囲から逸脱することなく修正を行うことができることを理解されたい。
以下、ここに説明された技術的な特徴を列挙する。
［技術的特徴１］
ゴルフクラブヘッドにおいて、
打撃フェース周囲形状によって定義される周囲を具備し、当該ゴルフクラブヘッドの前方部分に位置付けられる打撃フェース部分と、
上記ゴルフクラブヘッドの後方部分において上記打撃フェース部分の後方に位置付けられる後方本体部分とを有し、
上記ゴルフクラブヘッドは、約６．０ｋｓｉ／ＨＲＣより大きな対硬度強度比を有し、
上記対硬度強度比は、
（打撃フェース部分１０２のＵＴＳ−本体部分１０４のＵＴＳ）／（打撃フェース部分１０２の硬さ−本体部分１０４の硬さ）＝対硬度強度比
であることを特徴とするゴルフクラブヘッド。
［技術的特徴２］
上記ゴルフクラブヘッドは、約１１ｋｓｉ／ＨＲＣより大きな対硬度強度比を有する技術的特徴１記載のゴルフクラブヘッド。
［技術的特徴３］
上記ゴルフクラブヘッドは、約１６ｋｓｉ／ＨＲＣより大きな対硬度強度比を有する技術的特徴１記載のゴルフクラブヘッド。
［技術的特徴４］
上記ゴルフクラブヘッドは約１．２５より大きなＭＯＲ比を有し、
上記ＭＯＲ比は、
（打撃フェース部分１０２のＭＯＲ）／（本体部分１０４のＭＯＲ）＝  ＭＯＲ比
である技術的特徴１記載のゴルフクラブヘッド。
［技術的特徴５］
上記ゴルフクラブヘッドは約１．３５より大きなＭＯＲ比を有する技術的特徴４記載のゴルフクラブヘッド。
［技術的特徴６］
上記ゴルフクラブヘッドは約１．４５より大きなＭＯＲ比を有する技術的特徴５記載のゴルフクラブヘッド。
［技術的特徴７］
上記打撃フェース部分は、さらに、
第１の周囲形状を形成する過剰な性能の第１の領域と、
上記打撃フェース部分の内部表面に位置付けられ、厚さが増加した第１の層であって、その周囲が上記第１の周囲形状によって定義される上記厚さが増加した第１の層と、
第２の周囲形状を形成する過剰な性能の第２の領域と、
上記厚さが増加した第１の層の内部表面に位置付けられ、厚さが増加した第２の層であって、その周囲が上記第２の周囲形状によって定義される上記厚さが増加した第２の層とを有し、
上記打撃フェース周囲形状は上記第１の周囲形状と相違し、
上記第２の周囲形状は上記第１の周囲形状と相違し、
上記第２の周囲形状は上記打撃フェース周囲形状と相違し、
上記打撃フェース部分、上記厚さが増加した第１の層、および上記厚さが増加した第２の層の間の遷移領域が平滑な混合部分を有する技術的特徴１記載のゴルフクラブヘッド。
［技術的特徴８］
上記打撃フェース部分はさらに薄くされた周辺領域を有し、上記薄くされた周辺領域は、上記厚さが増加した第１の層の周囲を包囲し、
上記薄くされた周辺領域は約２．４ｍｍおよび約３．０ｍｍの厚さを有する技術的特徴７記載のゴルフクラブヘッド。
［技術的特徴９］
上記薄くされた周辺領域は約２．６ｍｍおよび約２．８ｍｍの厚さを有する技術的特徴８記載のゴルフクラブヘッド。
［技術的特徴１０］
上記薄くされた周辺領域は約２．７の厚さを有する技術的特徴９記載のゴルフクラブヘッド。
［技術的特徴１１］
上記厚さが増加した第２の層は約３．２ｍｍおよび約３．８ｍｍの総合厚さを有する技術的特徴８記載のゴルフクラブヘッド。
［技術的特徴１２］
上記厚さが増加した第２の層は約３．４ｍｍおよび約３．６ｍｍの総合厚さを有する技術的特徴１１記載のゴルフクラブヘッド。
［技術的特徴１３］
上記厚さが増加した第２の層は約３．５ｍｍの総合厚さを有する技術的特徴１２記載のゴルフクラブヘッド。
［技術的特徴１４］
ゴルフクラブヘッドにおいて、
打撃フェース周囲形状によって定義される周囲を具備し、当該ゴルフクラブヘッドの前方部分に位置付けられる打撃フェース部分と、
上記ゴルフクラブヘッドの後方部分において上記打撃フェース部分の後方に位置付けられる後方本体部分とを有し、
上記ゴルフクラブヘッドは約１．２５より大きなＭＯＲ比を有し、
上記ＭＯＲ比は、
（打撃フェース部分１０２のＭＯＲ）／（本体部分１０４のＭＯＲ）＝  ＭＯＲ比
であることを特徴とするゴルフクラブヘッド。
［技術的特徴１５］
上記ゴルフクラブヘッドは約１．３５より大きなＭＯＲ比を有する技術的特徴１４記載のゴルフクラブヘッド。
［技術的特徴１６］
上記ゴルフクラブヘッドは約１．４５より大きなＭＯＲ比を有する技術的特徴１５記載のゴルフクラブヘッド。
［技術的特徴１７］
上記打撃フェース部分は、約−３．５より大きいゼロに近いＣＴ分散平均を有し、上記ＣＴ分散平均は
ＣＴ分散平均＝中心の６ｍｍ平方内のＣＴ値の平均
である技術的特徴１６記載のゴルフクラブヘッド。
［技術的特徴１８］
上記打撃フェース部分は、約−３．２より大きいゼロに近いＣＴ分散平均を有する技術的特徴１７記載のゴルフクラブヘッド。
［技術的特徴１９］
上記打撃フェース部分は、約−３．０より大きいゼロに近いＣＴ分散平均を有する技術的特徴１８記載のゴルフクラブヘッド。
［技術的特徴２０］
ゴルフクラブヘッドにおいて、
打撃フェース周囲形状によって定義される周囲を具備し、当該ゴルフクラブヘッドの前方部分に位置付けられる打撃フェース部分と、
上記ゴルフクラブヘッドの後方部分において上記打撃フェース部分の後方に位置付けられる後方本体部分とを有し、
上記打撃フェース部分は、さらに、
第１の周囲形状を形成する過剰な性能の第１の領域と、
上記打撃フェース部分の内部表面に位置付けられ、厚さが増加した第１の層であって、その周囲が上記第１の周囲形状によって定義される上記厚さが増加した第１の層と、
第２の周囲形状を形成する過剰な性能の第２の領域と、
上記厚さが増加した第１の層の内部表面に位置付けられ、厚さが増加した第２の層であって、その周囲が上記第２の周囲形状によって定義される上記厚さが増加した第２の層とを有し、
上記第２の周囲形状は上記第１の周囲形状と相違し、
上記第２の周囲形状は上記打撃フェース周囲形状と相違し、
上記打撃フェース部分、上記さが増加した第１の層、および上記厚さが増加した第２の層の間の遷移領域が平滑な混合部分を有することを特徴とするゴルフクラブヘッド。
［技術的特徴２１］
上記打撃フェース部分はさらに薄くされた周辺領域を有し、上記薄くされた周辺領域は、上記厚さが増加した第１の層の周囲を包囲し、
上記薄くされた周辺領域は約２．４ｍｍおよび約３．０ｍｍの厚さを有する技術的特徴２０記載のゴルフクラブヘッド。
［技術的特徴２２］
上記薄くされた周辺領域は約２．６ｍｍおよび約２．８ｍｍの厚さを有する技術的特徴２１記載のゴルフクラブヘッド。
［技術的特徴２３］
上記薄くされた周辺領域は約２．７の厚さを有する技術的特徴２２記載のゴルフクラブヘッド。
［技術的特徴２４］
上記厚さが増加した第２の層は約３．２ｍｍおよび約３．８ｍｍの総合厚さを有する技術的特徴２３記載のゴルフクラブヘッド。
［技術的特徴２５］
上記厚さが増加した第２の層は約３．４ｍｍおよび約３．６ｍｍの総合厚さを有する技術的特徴２４記載のゴルフクラブヘッド。
［技術的特徴２６］
上記厚さが増加した第２の層は約３．５ｍｍの総合厚さを有する技術的特徴２５記載のゴルフクラブヘッド。
［技術的特徴２７］
上記打撃フェース部分は、約−３．５より大きいゼロに近いＣＴ分散平均を有し、上記ＣＴ分散平均は
ＣＴ分散平均＝中心の６ｍｍ平方内のＣＴ値の平均
である技術的特徴２０記載のゴルフクラブヘッド。
［技術的特徴２８］
上記打撃フェース部分は、約−３．２より大きいゼロに近いＣＴ分散平均を有する技術的特徴２７記載のゴルフクラブヘッド。
［技術的特徴２９］
上記打撃フェース部分は、約−３．０より大きいゼロに近いＣＴ分散平均を有する技術的特徴２８記載のゴルフクラブヘッド。
［符号の説明］
１００    ゴルフクラブヘッド
１０２    打撃フェース部分
１０３    フェースインサート
１０４    後方本体部分
２００    ゴルフクラブヘッド
２０１    座標系
２０３    フェース中心
３００    ゴルフクラブヘッド
３０２    打撃フェース部分
３０４    後方本体部分
３０６    中央領域
３０８    遷移領域
３１０    周辺領域
４００    ゴルフクラブヘッド
４０２    打撃フェース部分
４０４    後方本体部分
４０６    中央領域
４０８    遷移領域
４１０    周辺領域
５００    ゴルフクラブヘッド
５０２    打撃フェース部分
５０３    打撃フェースインサート
５１２    フェース周囲
５２２    第１の外側領域
５２４    第２の外側領域
５２６    第３の外側領域
５２８    第４の外側領域
５３０    中央領域
６０２    打撃フェース部分
６１３    第１の層
６１４    第１の周囲
６２２    第１の外側領域
６２４    第２の外側領域
６２６    第３の外側領域
６２８    第４の外側領域
６３０    中央領域
７０２    打撃フェース部分
７１５    第２の層
７１６    第２の周囲
７２２    第１の外側領域
７２４    第２の外側領域
７２６    第３の外側領域
７２８    第４の外側領域
７３０    中央領域
８０２    打撃フェース部分
８１７    第３の層
８１８    第３の周囲
８２２    第１の外側領域
８２４    第２の外側領域
８２６    第３の外側領域
８２８    第４の外側領域
９０２    打撃フェース部分
９０６    中央領域
９０８    遷移領域
９１０    周辺領域
１００２    打撃フェース部分
１１０２    打撃フェース部分
１１１３    第１の層
１１１５    第２の層
１２０２    打撃フェース部分
１２０６    中央領域
１２０８    遷移領域
１２１０    周辺領域
１３０２    打撃フェース部分